(57)【特許請求の範囲】
【請求項１】
油圧シリンダに挿入されたラムに取り付けられて昇降駆動される下ダイスと、前記油圧シリンダから上方へ延出した対向一対の支持壁間に取り付けられるダイスゲートに支持される上ダイスとからなり、相互間に介在させた被圧縮物を上下方向に圧縮する油圧圧縮器用ダイスセットであって、
前記下ダイスには、前記圧縮器に装着状態で露出する側面の片側下部に、落下防止用の連結体の一端を結合可能な第１の係止金具が油圧シリンダとの間隙に配置可能に固定され、
前記上ダイスには、前記圧縮器に装着状態で露出する側面の片側の上隅部に、前記落下防止用連結体の他端を結合可能な第２の係止金具が固定され、
前記第１，第２の係止金具は、取付位置においてダイスの側面に設けられた取付穴に挿入される取付部と、上下方向にダイスに埋設され、前記取付穴を貫通して取付部を抜け止めするロッドと、取付位置の近傍のダイスの上面又は下面から締め込まれるようにダイスに螺合して前記ロッドを抜け止めする止めネジとを具備することを特徴とする油圧圧縮器用ダイスセット。
【請求項２】
前記第１の係止金具は、前記連結体を挿通して係止可能な円筒状係止部と、この円筒状係止部の側面から半径方向に突出する前記取付部とを具備することを特徴とする請求項１に記載の油圧圧縮器用ダイスセット。
【請求項３】
前記第２の係止金具は、一端部に前記連結体が係止されるＵ字状係止部と、他端部にＵ字状の前記取付部とを備えた楕円リングであることを特徴とする請求項１に記載の油圧圧縮器用ダイスセット。
【発明の詳細な説明】
【技術分野】
【０００１】
この発明は、例えば電線をクランプで圧縮接続する場合などの圧縮作業において使用される油圧圧縮器の圧縮対象に応じて交換可能な上下のダイスセットに関し、特に高所作業時におけるダイスの落下を防止するものである。
【背景技術】
【０００２】
従来、シリンダの上部に二股状の支持壁が連続し、シリンダ内をラムが摺動昇降可能に嵌合し、ダイスゲートが支持壁間に係合して固定される。上ダイスは上ふたの下面に、また下ダイスはラムの上面に夫々装着され、シリンダの油圧により相互間に配置した圧縮対象を圧縮する（特許文献１参照）
【先行技術文献】
【特許文献】
【０００３】
【特許文献１】特開平06-015490号公報
【発明の概要】
【発明が解決しようとする課題】
【０００４】
上記従来の油圧圧縮器の上下ダイスにおいては、重量物であるにもかかわらず側面に手がかりが少ないため、本体に対する着脱作業の際に落下させ易く、高所作業において非常に危険である。このため、作業現場の足場設備の部材に掛け回した落下防止用ロープを上下ダイスに結合することが考えられる。ダイスにロープを結合するために、ダイスの露出面に引手を備えたプレートを溶接で固定する場合、ダイスの材質が特殊炭素鋼であるため、炭素含有量が大きく、熱処理による強度低下や熱割れのおそれがあり、しかも圧縮作業時に、プレートがダイス間に配置した被圧縮物の表面に表示されている圧縮位置の標示線の目視を妨げ、作業性を悪化させるなどにより溶接に適さない。ダイスにプレートをボルトで固定する場合、圧縮ダイス落下時の衝撃荷重を、同径の丸棒と比較して強度の弱いボルトのネジ部で受けるおそれがあり、せん断方向の衝撃によりボルトが破損したり、ダイスのタップ部が損傷するとダイスの修復が不可能になったりする。ダイスにロープを貫通させる係止孔を設ける場合、ダイスにかかる応力に対して有効な断面積の減少により、ダイスの強度が低下する。
そこで、本発明は、ダイスの強度や作業性を悪化させることなく、落下を防止して安全性を高める圧縮器用ダイスセットを提供することを課題としている。
【課題を解決するための手段】
【０００５】
上記課題を解決するため、本発明においては、油圧シリンダ１１に挿入されたラムに取り付けられて昇降駆動される下ダイス１と、油圧シリンダ１１から上方へ延出した対向一対の支持壁１２，１２間に取り付けられるダイスゲート１４に支持される上ダイス２とからなり、相互間に介在させた被圧縮物を上下方向に圧縮する油圧圧縮器用ダイスセットを構成する。下ダイス１には、圧縮器１０に装着した状態で露出面の下部に、ロープ５のような落下防止用連結体の一端を結合可能な第１の係止金具３を油圧シリンダ１１との間隙に配置可能に固定する。上ダイス２には、圧縮器１０に装着した状態の露出面の上隅部に、連結体の他端を結合可能な第２の係止金具４を固定する。第１，第２係止金具３，４は、取付位置においてダイス１，２に設けられた取付穴１ｂ，２ｂに挿入される取付部３ｂ，４ｂと、上下方向にダイス１，２に埋設され、取付部３ｂ，４ｂを貫通するロッド６と、取付位置の近傍のダイス１，２の上面又は下面から締め込みロッド６を抜け止めする止めネジ７とを具備する。
第１の係止金具３は、連結体を挿通して係止可能な円筒状係止部３ａと、この円筒状係止部３ａの側面から半径方向に突出する取付部３ｂとを具備する。
第２の係止金具４は、一端部に連結体を係止するＵ字状係止部４ａと、他端部にＵ字状の取付部４ｂとを備えた楕円リングで構成する。
【発明の効果】
【０００６】
本発明においては、ダイス間に連結体をつなぎ、一方の手で連結体を掴みながら他方の手でダイスを着脱操作できるので、ダイスの落下を防止することができ、高所作業の安全性を高めることができる。この連結体をつなぐ係止金具は、ダイスに側面から挿入され、上下面からダイスに埋設されるロッドにより抜け止めされるため、ダイスの強度を低下させることなく、確実に取り付けることができる。また、ロッドは、係止金具用の取付穴を貫通して、上下両端部がダイス内に支持されるので、ダイスに強固に固定され、係止金具の脱落を有効に防ぐことができる。さらに、第２の係止金具が装着状態の上ダイスの露出面の上隅部に配置されるので、被圧縮物上の圧縮位置標示線の目視を妨げることもなく良好な作業性を維持することができる。
【図面の簡単な説明】
【０００７】
【図１】本発明に係るダイスの斜視図である。
【図２】図１のダイスの正面図である。
【図３】図１のダイスの一部を欠いた断面図である。
【図４】係止金具の分解斜視図である。
【図５】第１の係止金具の分解斜視図である。
【図６】図１のダイスを圧縮器本体に装着した圧縮前の状態の正面図である。
【発明を実施するための形態】
【０００８】
本発明の実施の一形態を図面について説明する。
図６において、上下一対のダイス１，２は、圧縮器本体１０に装着されるものである。圧縮器本体１０は、下部に油圧シリンダ１１を備え、油圧シリンダ１１から、その側壁の一部が一体に連続して上方へ延出する左右に対向する一対の支持壁１２を備える。支持壁１２は、上部に夫々内側へ張り出す顎部１３を備える。油圧シリンダ１１には図示しないラムが挿入され油圧により昇降摺動自在に嵌合している。支持壁１２の顎部１３には、ダイスゲート１４が係合し、支持壁１２，１２間をわたり着脱可能に固定される。
【０００９】
下ダイス１は、油圧シリンダ１１内のラムの上に支持壁１２，１２間へ上方から落とし込むように装着される。下ダイス１は、支持壁１２にガイドされてラムにより昇降自在である。上ダイス２は、同じく両支持壁１２，１２間へ上方から落とし込むように装着され、下ダイス１の上方に配置される。上ダイス２は、ダイスゲート１４の下面に当接して、支持壁１２，１２間に固定される。下ダイス１の上面側及び上ダイス２の下面側には、例えば電線接続用のアルミスリーブをそれぞれ圧縮成形するための型溝１ａ，２ａを備える。
【００１０】
図１ないし図５に示すように、圧縮器１０に装着状態で露出する下ダイス１の側面の下部中央には落下防止用の連結体であるロープ５の一端を結合させるための第１の係止金具３が固定される。この係止金具３は鋼材からなり、下ダイス１が圧縮器本体１０に装着された状態で下ダイス１と油圧シリンダ１１との間隙に配置可能な寸法を有し、ロープ５を横方向に挿通可能な円筒状係止部３ａと、この円筒状係止部３ａの側面から半径方向に突出して下ダイス１に横方向に設けられた取付穴１ｂに挿入される板状の取付片３ｂとを具備する。係止金具３は、下ダイス１に垂直に埋設されたロッド６と、ロッド６を抜け止めする六角穴付き止めネジ７とにより下ダイス１に固定される。ロッド６は、下ダイス１の取付穴１ｂの近傍の下面から垂直上方に向かうロッド穴１ｃに挿入され、取付穴１ｂを貫通して取付片３ｂを抜け止めする。六角穴付き止めネジ７は、ロッド穴１ｃに連続して下ダイス１の下面に開口したネジ孔１ｄに螺合する。
【００１１】
圧縮器１０に装着状態で露出する上ダイス２の側面上側隅部には、落下防止ロープ５の他端を留めるための第２の係止金具４が固定される。この係止金具４は鋼材からなる楕円リングで構成され、ロープ５を挿通可能な一端部のＵ字状係止部４ａと、上ダイス２の取付穴２ｂに挿入される他端部のＵ字状取付部４ｂとを備える。係止金具４は、上ダイス２に横方向に設けられた取付穴２ｂに挿入される他端部のＵ字状取付部４ｂとを具備する。係止金具４は、上ダイス２に垂直に埋設されたロッド６と、ロッド６を抜け止めする六角穴付き止めネジ７とにより上ダイス２に固定される。ロッド６は、上ダイス２の取付穴２ｂの近傍の下面から垂直下方に向かうロッド穴２ｃに挿入され、取付穴２ｂを貫通して取付部４ｂを抜け止めする。六角穴付き止めネジ７は、ロッド穴２ｃに連続して上ダイス２の上面に開口したネジ孔２ｄに螺合する。
【００１２】
これらの上下ダイス１，２においては、落下防止ロープ５を第１の係止金具３及び第２の係止金具４につなげば、圧縮器本体１０への着脱作業時に、一方の手でロープ５を掴みながら他方の手でダイス１又は２を着脱操作できるので、ダイス１又は２を誤って手放しても高所の作業現場から下方へ落下することがなく事故を未然に防止する。係止金具３，４はダイス１，２に埋没したロッド６に掛かって固定されるので、重量物であるダイス１，２の大きな荷重によって脱落することなく確実にロープ５を引き留める。ロッド６は、係止金具用の取付穴１ｂ，２ｂを貫通して、上下両端部がダイス１，２内に支持されるので、ダイス１，２に強固に固定される。第２の係止金具４は、上ダイス２の正面の中央から外れた位置に配置されるので、被圧縮物上の圧縮位置を指示する標示線の目視を妨げることなく圧縮作業に支障がない。係止金具３，４を取り付けるのに必要なダイス１，２の穴加工は全体に対してわずかな範囲に抑えられるため、ダイス自体の強度に影響を与えない。
【符号の説明】
【００１３】
１    下ダイス
１ｂ  取付穴
２    上ダイス
２ｂ  取付穴
３    係止金具
３ａ  円筒状係止部
３ｂ  取付片
４    係止金具
４ａ  Ｕ字状係止部
４ｂ  取付部
５    落下防止ロープ
６    ロッド
７    止めネジ
１０    圧縮器本体
１１    油圧シリンダ
１２    支持壁
１３    顎部
１４    ダイスゲート
【図１】
0005950438.tif 000002
【図２】
0005950438.tif 000003
【図３】
0005950438.tif 000004
【図４】
0005950438.tif 000005
【図５】
0005950438.tif 000006
【図６】
0005950438.tif 000007